(57)【要約】【課題】曲管部に障害物が存在しているような場合にあっても容易に乗り越えるように柔軟性のあるドロップケーブルの通線用先端ガイドを提供する。【解決手段】接続体と曲がり部形成体と案内小片から形成され、前記曲がり部形成体は、小径の鋼線が複数撚れた撚れ線で形成され、通線時に前記案内小片が障害物に当接した時に押圧力によって弾性変形し、弾んで前記案内小片を前記障害物から乗り越えさせる柔軟性を備える。【選択図】図１
2009163000.tif 000002
【特許請求の範囲】
【請求項１】
ドロップケーブルに接続されるドロップケーブル方向に細長い棒状の接続体と、この接続体に固着され、ドロップケーブル方向に細長くドロップケーブルより剛性の小さい曲がり部形成体と、該曲がり部形成体の先端部に取り付けられた先端に丸みがあって、断面が曲がり部形成体よりも大きな案内小片とから構成されるドロップケーブルの通線用先端ガイドにおいて、
前記曲がり部形成体は、小径の鋼線が複数撚れた撚れ線で形成され、通線時に前記案内小片が障害物に当接した時に押圧力によって弾性変形し、弾んで前記案内小片を前記障害物から乗り越えさせる柔軟性を備えること
を特徴とするドロップケーブルの通線用先端ガイド。
【請求項２】
請求項１において、前記曲がり部形成体は、前記接続体の接続側先端と前記案内小片の接続側先端との間の長さが１０〜１００ｍｍとされることを特徴とするドロップケーブルの通線用先端ガイド。
【請求項３】
請求項１において、前記接続体は、ドロップケーブル方向に向けて内部に凹凸を有する空胴部が形成され外部から空胴部がかしめられた時に該凹凸がドロップケーブルにかしめられる構造を備えることを特徴とするドロップケーブルの通線用先端ガイド。
【請求項４】
請求項１において、前記接続体はドロップケーブル方向に向けて内部に空胴部が形成され、該空胴部に向けてネジ孔が設けられ、該空胴部にドロップケーブルの先端部が収納され、
前記ネジ孔に押しネジが螺合されてドロップケーブルを構成する鋼線を引き留める構造を備えることを特徴とするドロップケーブルの通線用先端ガイド。
【請求項５】
請求項１において、前記接続体は、ネジ結合される２つの部材から形成されることを特徴とするドロップケーブルの通線用先端ガイド。
【請求項６】
請求項１から５のいずれかのドロップケーブルの通線用先端ガイドを用いて、通線時に前記案内小片が前記障害物に当接した時に押圧力を加えて前記曲がり部形成体を弾性変形させ、弾ませて前記案内小片を前記障害物を乗り越せるようにしたことを特徴とするドロップケーブルの通線用先端ガイドの通過方法。
【発明の詳細な説明】
【技術分野】
【０００１】
本発明は、光ファイバ心線の通線用先端ガイドに関する。
【背景技術】
【０００２】
光ファイバから分岐された光ファイバ心線をケーブル布設用の管路内を通線することが行われる。この通線を行う場合に、光ファイバ心線の先端に通線用の先端ガイド（ケーブル先端ガイド装置）を連結して先端ガイドの先端に設けたワイヤーを引っかけるためのアイ（孔）を設けてワイヤーにて引張って通線する場合と、光ファイバ心線の先端に先端ガイドを設けて押し込んで通線する場合とがある。
【０００３】
特許文献１には、プーリング用アイを設けてワイヤーにて引張って通線するためのケーブル先端ガイド装置が記載されている。
【０００４】
特許文献２には、ダクト連結用軸部の外周に、サブダクトにねじ込んだことでこのダクト連結用軸部にサブダクトに連結固定するためのタッピングねじを形成したプーリングアイが記載されている。
【０００５】
特許文献３には、細長い棒状をなし通線ロッドより曲げ剛性の小さい軸部と、この軸部の後端を通線ロッドの先端に着脱可能に剛接続するための接続部とを備え、前記接続部は、通線ロッドの先端に形成したねじ部がねじ込まれるねじ穴を有し、前記軸部の先端に丸みのある膨大部を設けたことを特徴とする通線ロッド用の先端ガイドが記載されている。
【０００６】
【特許文献１】特開２０００−２１７２４０号公報
【特許文献２】特開平９−６１６４２号公報
【特許文献３】特開平１０−３３６８２９号公報
【発明の開示】
【発明が解決しようとする課題】
【０００７】
従来、特許文献３に示されるように、細長い棒状をなし通線ロッドより曲げ剛性の小さい軸部を接続部と先端部との間に配設することを行っている。このような構成にすることによって内管部を通過させる際に撓んで押し付け力を増大させることなく、曲げ力は小さくても先端ガイドを通過させることができるようになった。
【０００８】
管路には通過させるドロップケーブル以外にも既に配線してあったり、あるいは管路の内側形状に基因した多数の通過障害物あるいは通過障害箇所（以下、障害物という。）が存在する。特に曲管部において障害物を乗り越すことが要求される。棒状形状であると曲げ剛性を小さくすることは押し込みの関係で限界がある。
【０００９】
本発明は、かかる点に鑑みて曲管部に障害物が存在しているような場合にあっても容易に乗り越えるように柔軟性のあるドロップケーブルの通線用先端ガイドを提供することを目的とする。
【課題を解決するための手段】
【００１０】
本発明は、ドロップケーブルに接続されるドロップケーブル方向に細長い棒状の接続体と、この接続体に固着され、ドロップケーブル方向に細長くドロップケーブルより剛性の小さい曲がり部形成体と、該曲がり部形成体の先端部に取り付けられた先端に丸みがあって、断面が曲がり部形成体よりも大きな案内小片とから構成されるドロップケーブルの通線用先端ガイドにおいて、
前記曲がり部形成体は、小径の鋼線が複数撚れた撚れ線で形成され、通線時に前記案内小片が障害物に当接した時に押圧力によって弾性変形し、弾んで前記案内小片を前記障害物から乗り越えさせる柔軟性を備えること
を特徴とするドロップケーブルの通線用先端ガイドを提供する。
【００１１】
本発明はまた、前記曲がり部形成体は、前記接続体の接続側先端と前記案内小片の接続側先端との間の長さが１０〜１００ｍｍとされることを特徴とするドロップケーブルの通線用先端ガイドを提供する。
【００１２】
本発明はまた、前記接続体は、ドロップケーブル方向に向けて内部に凹凸を有する空胴部が形成され外部から空胴部がかしめられた時に該凹凸がドロップケーブルにかしめられる構造を備えることを特徴とするドロップケーブルの通線用先端ガイドを提供する。
【００１３】
本発明はまた、前記接続体はドロップケーブル方向に向けて内部に空胴部が形成され、該空胴部に向けてネジ孔が設けられ、該空胴部にドロップケーブルの先端部が収納され、
前記ネジ孔に押しネジが螺合されてドロップケーブルを構成する鋼線を引き留める構造を備えることを特徴とするドロップケーブルの通線用先端ガイドを提供する。
【００１４】
本発明はまた、前記接続体は、ネジ結合される２つの部材から形成されることを特徴とするドロップケーブルの通線用先端ガイドを提供する。
【００１５】
本発明はまた、前記ドロップケーブルの通線用先端ガイドを用いて、通線時に前記案内小片が前記障害物に当接した時に押圧力を加えて前記曲がり部形成体を弾性変形させ、弾ませて前記案内小片を前記障害物を乗り越せるようにしたことを特徴とするドロップケーブルの通線用先端ガイドの通過方法を提供する。
【発明の効果】
【００１６】
本発明によれば、曲がり部形成体は、小径の鋼線が複数撚れた撚れ線で形成され、通線時に案内小片が障害物に当接した時に押圧力によって弾性変形し、弾んで案内小片を障害物から乗り越えさせる柔軟性を備えているので、曲管部に障害物が存在しているような場合にあっても容易に乗り越えるように柔軟性のあるドロップケーブルの通線用先端ガイドを提供することができる。
【発明を実施するための最良の形態】
【００１７】
以下、本発明の実施例を図面に基づいて説明する。
【実施例１】
【００１８】
図１は、本発明の実施例の構成を示す図であり、図２は図１の横断面図を示し、図３は図１のＡ−Ａ断面拡大図、図４は図１のかしめ前の構造を示す図である。
【００１９】
これらの図において、通線用先端ガイド１は、光ファイバから分岐されてドロップケーブルとなるドロップケーブル２に接続される。ドロップケーブル２は図３に示すように、光ファイバ心線２１とその両側に配設された一対のテンションメンバ２２と銅像（メッキンジャワイヤ）２３を外被２４で覆った形状をしている。
【００２０】
このように形成されたドロップケーブル２の先端には接続体（接続部）５が接続、固着される。
【００２１】
通線用先端ガイド１は、接続された接続体５を含み、これに接続された撚れ線６および撚れ線６に接続された案内小片７を含んで構成される。撚れ線６は複数の鋼線をより合わせたストランド線として構成されたもので、本実施例の場合、曲がり部形成体を形成するが、以下、撚れ線として説明する。
【００２２】
図４に示すように、ドロップケーブル２に接続体５を接続する前には、接続体５には、ドロップケーブル方向に向けて内部に凹凸１２を有する空胴部１１が形成してあり、空胴部１１が外部からかしめられた時に、凹凸１２がドロップケーブル２にかしめられる構造となっている。
【００２３】
図２に示すように、空胴部１１をドロップケーブル２にかしめられる時に、空胴部１１に連通する小孔１３に挿入された撚れ線６の端部７４は同時にかしめられる。このようにして、空胴部１１に設けたドロップケーブル２に接続体５を固着することを行い、かつ接続体５に撚れ線６を固着することを行う。
【００２４】
撚れ線６の他方の先端部には、案内小片７が固着される。案内小片７は撚れ線６方向に小孔１５を備え、この小孔１５に端部１６が挿入され、同様にかしめられて案内小片７は撚れ線６に固着される。案内小片７は先端部が丸みを帯び先端ガイド１を案内し易いものとしている。案内小片７の先端部にはアイ１７が形成してあるが、このアイ１７はなくてもよい。
【００２５】
先端ガイド１の最適な実施例として、接続体の長さ２４ｍｍ、案内小片の長さ１６ｍｍ、撚り線６の長さ（接続体５の接続先端から案内小片の接続先端の長さ）２５ｍｍ、案内小片７の直径４，５Φ、接続体の直径４，５Φおよび撚線６の直径０．１６Φが提案される。撚れ線６の長さは、上述の計測方法で、１０〜１００ｍｍの範囲が推奨される。
【００２６】
撚れ線６は、先端ガイド１が曲管部を通過するに際して、案内小片７が曲管部内の障害物に当接した時に重要な働きをなす。
【００２７】
図１において、案内小片７は、案内小片が障害物２０に当接し、更に押圧力が加えられると、撚れ線６が弾性変形し、弾んで案内小片７をはね上げて障害物２１を乗り越えさせる柔軟性を備える。
【００２８】
このように、通線用先端ガイド１は押し込み用として製作され、ドロップケーブル２に接続されるドロップケーブル方向に細長い棒状の接続体５と、この接続体５に固着され、ドロップケーブル方向に細長くドロップケーブル２より剛性が小さく、柔軟性のある小径の鋼線が複数撚れた撚れ線６および撚れ線６の先端部に取り付けられた先端に丸みのある案内小片７で形成され、押し込み通線時に、案内小片７が障害物に当接した時に、押圧力によって弾性変形し、弾性変形力によって弾んで案内小片７を障害物から乗り越えさせる。
【実施例２】
【００２９】
図５は、第二の実施例を示す。第一の実施例と同一の構成については同一の番号を付してあり、第一の実施例の説明を援用する。他の実施例についても同様である。
【００３０】
第二の実施例が第一の実施例と異なる点は、接続体５をドロップケーブル２に固着する方法にある。第一の実施例にあっては空胴部１１に凹凸１２を設け、かしめによって固着しているが、この実施例にあっては、空胴部１１に向けてネジ孔３１が設けられており、ネジ孔３１に押しネジ３２が螺合されて、ネジ孔２５はドロップケーブル２を構成する綱線を引き止める構造とされることにある。
【実施例３】
【００３１】
図６は、第三の実施例を示す。この実施例は第二の実施例と実質的に同一である。ただ、この実施例の場合、接続体２はネジ結合される２つの部材４１、４２（先端部、後端部）から形成される。オネジ、メネジはいずれ側に設けてもよい。
【００３２】
このように、２分割タイプの接続体５とすることによって先端ガイド１の部材３２、撚れ線６および案内小片７を繰り返して使用できるメリットがある。
【実施例４】
【００３３】
図７は、第四の実施例を示す。この実施例は第三の実施例と実質的に同一であり、先端部３１、後端部４２の２つの部材を使用する。先端部４１は、第一の実施例に示す方法によってあるいは圧着手段による圧着によってドロップケーブル１に固着される。
【図面の簡単な説明】
【００３４】
【図１】本発明の実施例の構成を示す図。
【図２】図１の横方向断面図。
【図３】図１のＡ−Ａ断面拡大図。
【図４】図１のＢ−Ｂ断面拡大図。
【図５】本発明の第二の実施例の構成を示す図。
【図６】本発明の第三の実施例の構成を示す図。
【図７】本発明の第四の実施例の構成を示す図。
【符号の説明】
【００３５】
１…通線用先端ガイド、２…ドロップケーブル、５…接続体（接続部）、６…撚れ線、７…案内小片、１１…空胴部、１２…凹凸、１３…小孔、１４…端部、１５…小孔、１６…端部、１７…アイ、２０…障害物、２１…光ファイバ心線、２２…テンションメンバ、２３…鋼線、２４…外被、３１…ネジ孔、３２…押しネジ。
【図１】
2009163000.tif 000003
【図２】
2009163000.tif 000004
【図３】
2009163000.tif 000005
【図４】
2009163000.tif 000006
【図５】
2009163000.tif 000007
【図６】
2009163000.tif 000008
【図７】
2009163000.tif 000009